(57)【要約】【課題】  携帯電話に結合しチャージの利便性を高める電子財布装置を提供する。【解決手段】  本発明の提供する電子財布装置１００は、ＳＩＭカードインタフェースを備える携帯電話２に使用するものである。電子財布装置１００は、携帯電話２にチャージサービスインタフェースを提供し、携帯電話２から受信した第一取引コマンドをチャージコマンドに変換する処理ユニット１５と、電子財布を備え、処理ユニット１５から受信したチャージコマンドをチャージ認可コマンドに変換し、該チャージ認可コマンドに基づいて金額を電子財布に書き込む認証ユニット１７と、認証ユニットに電気的に接続するＮＦＣアンテナ２０と、を含む。【選択図】  図２
2013501985.tif 000002
【特許請求の範囲】
【請求項１】
ＳＩＭカードインタフェースを備えた携帯電話に使用する電子財布装置であって、
携帯電話にチャージサービスインタフェースを提供し、前記携帯電話から受信した第一取引コマンドをチャージコマンドに変換する処理ユニットと、
電子財布を備え、前記処理ユニットから受信したチャージコマンドをチャージ認可コマンドに変換し、該チャージ認可コマンドに基づいて金額を前記電子財布に書き込む認証ユニットと、
前記認証ユニットに電気的に接続するアンテナと、
を含むことを特徴とする電子財布装置。
【請求項２】
前記電子財布装置は薄膜基板をさらに含み、
該薄膜基板の一方の表面に第一接点インタフェースを設置し、
前記薄膜基板の他方の表面に、ＳＩＭカードインタフェースに電気的に接続する第二接点インタフェースを設置し、
前記処理ユニット、前記認証ユニット、及び前記アンテナをいずれも前記薄膜基板に設置することを特徴とする請求項１に記載の電子財布装置。
【請求項３】
前記処理ユニットは携帯電話に設けられ、前記認証ユニットはＳＤメモリーカードに設けられ、前記アンテナは前記携帯電話に設置され、前記携帯電話にはＳＤメモリーカードインタフェースを備えることを特徴とする請求項１に記載の電子財布装置。
【請求項４】
前記処理ユニット及び前記認証ユニットはＳＩＭカードに設けられ、前記アンテナは携帯電話に設置され、前記アンテナはＳＩＭカードインタフェースを介してＳＩＭカードに電気的に接続することを特徴とする請求項１に記載の電子財布装置。
【請求項５】
前記第一接点インタフェースはＳＩＭカードに電気的に接続することを特徴とする請求項２に記載の電子財布装置。
【請求項６】
第一接点インタフェースを設置した側の前記薄膜基板の表面をＳＩＭカードの一方の表面に粘着し、尚且つ前記第一接点インタフェースを前記ＳＩＭカードに電気的に接続することを特徴とする請求項２に記載の電子財布装置。
【請求項７】
前記処理ユニットは、チャージサービスインタフェースを携帯電話のディスプレイに表示する操作モジュールを含むことを特徴とする請求項１に記載の電子財布装置。
【請求項８】
前記認証ユニットは、金額を前記電子財布に書き込む電子財布モジュールを含むことを特徴とする請求項１に記載の電子財布装置。
【請求項９】
前記電子財布は金額を登録するメモリーであることを特徴とする請求項１に記載の電子財布装置。
【発明の詳細な説明】
【技術分野】
【０００１】
本発明は、加入者識別モジュール（ＳＩＭ：Subscriber Identify Module）の応用に関し、特に携帯電話の分野に応用して利便性を向上させる電子財布装置に係る。
【背景技術】
【０００２】
図１は現金をチャージする公知の電子財布を示した図である。加入者は現金を電子財布にチャージできるチャージ機３０１（ＰＯＳ）のある地点に赴き、ＩＣカード３０２とチャージする現金を店員に渡し、店員がＩＣカード３０２をＳＡＭカード３０４（Secure Application Module）を備えるカードリーダー３０３に挿入する。カードリーダー３０３とＩＣカード３０２間のインタフェースはカード挿入式及びセンサ式を含む。店員は、チャージ機３０１上でソフトウェアインタフェースを操作し、受け取った現金に基づき必要な取引パラメータを入力すると、チャージ機３０１のソフトウェアによって取引パラメータはチャージコマンドに変換され、そのチャージコマンドをカードリーダー３０３に送信する。カードリーダー３０３は取り付けたＳＡＭの認証ソフトによってチャージ認可コマンドに変換し、変換後のチャージ認可コマンドをＩＣカード３０２に送る。その後、ＩＣカード３０２内の電子財布プログラムによってチャージ認可コマンドが指定した金額がＩＣカード３０２内の電子財布に書き込まれる。
【０００３】
公知技術においては、加入者は電子財布のチャージ作業を特定場所で行う必要があり、現金支払方式によりカードリーダー３０３等の特定装置上でチャージ認可を行う。電子財布の使用方式は、残高情報を得るのが不便であるため（必ずカードリーダー３０３を通さなければならない）、取引を行う際になって初めて残高不足を知る苦境に陥ることもある。加入者は突発事件が起きた場合、一時的にチャージ認可を行う特定場所が見つからず、電子財布での消費を続けることができないという事態も発生する。
【先行技術文献】
【特許文献】
【０００４】
【特許文献１】特開２００１−２９１０３９号公報
【特許文献２】特開２００５−３５２７３３号公報
【発明の概要】
【発明が解決しようとする課題】
【０００５】
本発明は、携帯電話に使用する電子財布装置の提供によって、電子財布を携帯電話に結合し電子財布のチャージの利便性を高めることを目的とする。
【課題を解決するための手段】
【０００６】
上述の目的を達成するために、本発明の実施する電子財布装置は、携帯電話に結合し、携帯電話の文字盤インタフェースを通して電子財布の残高を調べ、即時にチャージ認可を行い、さらに携帯電話の通信作業能力によってチャージ認可する金額を記帳システムに伝送し、計算書を作り出す。
【０００７】
本発明の電子財布装置は、携帯電話に結合し電子財布のチャージの利便性を高める効果を果たす。
【図面の簡単な説明】
【０００８】
【図１】従来タイプの電子財布への現金チャージを示す図である。
【図２】本発明の第一実施例による電子財布装置のブロック図である。
【図３Ａ】本発明の第一実施例による電子財布装置の薄板基盤の一方の面の構成および配置を示す模式図である。
【図３Ｂ】本発明の第一実施例による電子財布装置の薄板基盤の他方の面の構成および配置を示す模式図である。
【図４】本発明の第二実施例による電子財布装置のブロック図である。
【図５】本発明の第三実施例による電子財布装置のブロック図である。
【発明を実施するための形態】
【０００９】
（第一実施例）
図２の本発明の第一実施例による電子財布装置のブロック図に示すとおり、本発明の電子財布装置は、ＳＩＭカードインタフェースを備える携帯電話２に用い、携帯電話２の付加価値サービスを実現する。同時に図３Ａの本発明電子財布装置の第一実施例に関する構造配置図を参照する。該電子財布装置１００は、薄膜基板１０、処理ユニット１５、認証ユニット１７、及び短距離無線通信規格（ＮＦＣ，Near Field Communication）型のアンテナ２０を含む。その内、処理ユニット１５、認証ユニット１７、及びアンテナ２０は薄膜基板１０上に配置する。
【００１０】
本実施例において、薄膜基板１０の一方の表面には第一接点インタフェースを設置し、他方の表面には第二接点インタフェースを設置する。第一接点インタフェースは、ＳＩＭカード１の電気的接点に電気的に接続するのに用い、第二接点インタフェースは、携帯電話２のＳＩＭカードインタフェースに電気的に接続するのに用いる。第一接点インタフェースは、少なくとも一つの第一接点１１と少なくとも一つの第二接点１２を含み、第二接点インタフェースは、少なくとも一つの第三接点１３と少なくとも一つの第四接点１４を含み、その内、第一接点１１と第三接点１３は電気的に接続し、第二接点１２と第四接点１４はそれぞれ処理ユニット１５に電気的に接続する。
【００１１】
本発明の本実施例において、薄膜基板１０の第一接点インタフェースと第二接点インタフェースは、ＩＳＯ７８１６国際規格に準拠し、尚且つ第一接点インタフェースと第二接点インタフェースの各接点は互いに向き合う位置にある。ＩＳＯ７８１６国際規格は八つの接点（接点１．Ｖｃｃ、接点２．ＲＳＴ、接点３．ＣＬＫ、接点４．ＲＦＵ、接点５．ＧＮＤ、接点６．Ｖｐｐ、接点７．Ｉ／Ｏ、接点８．ＲＦＵ）を含み、その内、第一接点インタフェースの接点１．Ｖｃｃと接点５．ＧＮＤを第一接点１１、接点７．Ｉ／Ｏを第二接点１２とみなし、第二接点インタフェースの接点１．Ｖｃｃと接点５．ＧＮＤを第三接点１３、接点７．Ｉ／Ｏを第四接点１４とみなす。また、本発明の好ましい実施例において、第一接点インタフェースを設置した側の薄膜基板１０の面の一部分に粘着性材料を備え、この面をＳＩＭカード１の電気的接点を備えた面に対応させて粘着する。
【００１２】
処理ユニット１５は操作モジュール１６を含み、該操作モジュール１６は、携帯電話のＳＩＭツールキット（ＳＴＫ，Subscriber Identity Module Application Toolkit）機能によって携帯電話２のディスプレイにチャージサービスインタフェースを表示する。加入者はチャージサービスインタフェースの操作を通して携帯電話２からの第一取引コマンドを操作モジュール１６に送信し、操作モジュール１６は第一取引コマンドを受信すると、第一取引コマンドをチャージコマンドに変換する。
【００１３】
金融機関認証の認証ユニット１７は、電子財布を備え、尚且つ認可モジュール１８と電子財布モジュール１９を含む。認証ユニット１７は処理ユニット１５からチャージコマンドを受信する。認可モジュール１８は、金融機関認証のＳＡＭアルゴリズムを実行しチャージコマンドをチャージ認可コマンドに変換する。電子財布モジュール１９は、チャージ認可コマンドに基づいて金額を電子財布に書き込む。その内、電子財布はメモリーであり、メモリーは金額を登録するために用いる。認証ユニット１７のチャージが完了した後、認証ユニット１７はチャージ完了コマンドを処理ユニット１５に送り、処理ユニット１５はチャージ完了コマンドに基づいて記帳コマンドを発信し、記帳コマンドは第二接点インタフェースを経て携帯電話２に伝えられ、さらに携帯電話２は記帳コマンドを記帳システム３に送る。
本発明の本実施例中の記帳システム３は、金融機関或いは携帯電話２の移動通信システムに属するもので、記帳システム３は記帳コマンドに基づいて金額を含む計算書４を作り出し、加入者は計算書４で支払いをしたり自動引き落としをしたりする。
【００１４】
図３Ａと図３Ｂに示した本発明の第一実施例による電子財布装置の薄膜基板１０の両面図の通り、薄膜基板１０は第一基板、第二基板、及び連接部２２を含む。その内、連接部２２は、第一基板と第二基板を連接するためのものであり、第一接点インタフェースと第二接点インタフェースはそれぞれ第一基板の両面に設ける。処理ユニット１５、認証ユニット１７、及びアンテナ２０は、好ましくは、第二基板の一方側表面に設置するが、これによって配置が限定されることはなく、アンテナ２０は認証ユニット１７に電気的に接続する。特に提起する点は、本発明の薄膜基板１０における処理ユニット１５、認証ユニット１７、及びアンテナ２０の配置は、第二基板の他方の表面に設置するか、第一基板、第二基板、或いは基板に挟み込まれた層中に配置することも可能である点である。
【００１５】
（第二実施例）
図４に、本発明の第二実施例による電子財布装置のブロック図を示す。携帯電話４３にはＳＩＭカードインタフェース４３２、ＳＤメモリーカード（Secure Digital Memory Card）インタフェース４３１、及びＮＦＣアンテナ２０を備え、その内、ＳＩＭカードインタフェース４３２はＳＩＭカード４２の接点インタフェース４２１に電気的に接続し、ＳＤメモリーカードインタフェース４３１はＳＤメモリーカード４１の接点インタフェース４１１に電気的に接続し、尚且つアンテナ２０はＳＤメモリーカードインタフェース４３１に電気的に接続する。
本発明の本実施例における処理ユニットは、携帯電話４３の実際に行うソフトウェア或いはハードウェアによって実現し、処理ユニットは操作モジュールを含み、携帯電話４３のディスプレイにチャージサービスインタフェースを表示する。加入者はチャージサービスインタフェースの操作によって携帯電話４３に第一取引コマンドを受信させ、操作モジュールは第一取引コマンドを受信し、第一取引コマンドをチャージコマンドに変換する。
【００１６】
本発明の本実施例中のＳＤメモリーカード４１は、接点インタフェース４１１、コントローラー４１２、認証ユニット１７、及びメモリー４１３を含む。その内、コントローラー４１２は接点インタフェース４１１、メモリー４１３、及び認証ユニット１７に電気的に接続する。認証ユニット１７は接点インタフェース４１１に電気的に接続するため、接点インタフェース４１１及びＳＤメモリーカードインタフェース４３１を通してアンテナ２０に電気的に接続する。コントローラー４１２の駆動プログラムはＳＤメモリーカードインタフェース４３１からのコマンドを判断する。もし認証ユニットに送るデータであるなら、認証ユニット１７に送り、認証ユニット１７により処理された後の結果を再び認証ユニット１７がコントローラー４１２を通して携帯電話４３にリターンする。金融機関認証の認証ユニット１７は、電子財布を備え、尚且つ認証ユニット１７は認可モジュールと電子財布モジュールを含む。認証ユニット１７は携帯電話４３からのチャージコマンドを受信し、並びに認可モジュールによって金融機関認証のＳＡＭアルゴリズムを実行しチャージコマンドをチャージ認可コマンドに変換し、電子財布モジュールはチャージ認可コマンドに基づき金額を電子財布に書き込む。その内、電子財布はメモリーであり、メモリーは金額を登録するためのものである。
【００１７】
認証ユニット１７のチャージが完了した後、認証ユニット１７はチャージ完了コマンドを携帯電話４３の処理ユニットにリターンし、処理ユニットはチャージ完了コマンドに基づき記帳コマンドを発信した後、携帯電話４３は記帳コマンドを記帳システムに送信する。本発明の実施例における記帳システムは、金融機関或いは携帯電話４３の移動通信システムに属し、記帳システムは記帳コマンドに基づき金額を含む計算書を作り出し、加入者は計算書で支払いや自動引き落としを行う。
【００１８】
（第三実施例）
図５に、本発明の第三実施例による電子財布装置のブロック図を示す。携帯電話５１はＮＦＣアンテナ２０及びＳＩＭカードインタフェース５１１を含む。ＳＩＭカード５２はＳＩＭカードインタフェース５１１に電気的に接続する接点インタフェース５２１、処理ユニット１５、及び認証ユニット１７を含む。その内、処理ユニット１５は認証ユニット１７及び接点インタフェース５２１に電気的に接続する。また、処理ユニット１５は操作モジュールを含み、該操作モジュールは、携帯電話のＳＩＭツールキット（ＳＴＫ，Subscriber Identity Module Application Toolkit）機能によって携帯電話５１のディスプレイにチャージサービスインタフェースを表示する。
【００１９】
加入者はチャージサービスインタフェースの操作を通して携帯電話５１からの第一取引コマンドを操作モジュールに送信し、操作モジュールは第一取引コマンドを受信すると、該第一取引コマンドをチャージコマンドに変換する。金融機関認証の認証ユニット１７は、電子財布を備え、尚且つ認可モジュールと電子財布モジュールを含む。認証ユニット１７はチャージコマンドを受信し、認可モジュールは金融機関認証のＳＡＭアルゴリズムを実行しチャージコマンドをチャージ認可コマンドに変換し、電子財布モジュールはチャージ認可コマンドに基づいて金額を電子財布に書き込む。その内、電子財布はメモリーであり、メモリーは金額を登録するために用いる。
【００２０】
認証ユニット１７のチャージが完了した後、認証ユニット１７はチャージ完了コマンドを処理ユニットに送り、処理ユニットはチャージ完了コマンドに基づいて記帳コマンドを発信し、携帯電話５１は記帳コマンドを記帳システムに伝送する。本発明実施例中の記帳システムは、金融機関或いは携帯電話５１の移動通信システムに属するもので、記帳システムは記帳コマンドに基づいて金額を含む計算書を作り出し、加入者は計算書で支払いをしたり自動引き落としをしたりする。
【００２１】
加入者が本発明の電子財布装置を通して消費する時、認証ユニット１７はアンテナ２０によってカードリーダーからの消費コマンドを感知し受信し、並びに消費コマンドを消費認可コマンドに変換した後、電子財布モジュールは消費認可コマンドに基づいて電子財布から一部金額を差し引く。
加入者が本発明の電子財布装置を利用して振り替え或いは消費した時、加入者は携帯電話によって第二取引コマンドを入力すると、処理ユニット１５は携帯電話からの第二取引コマンドを受信し、第二取引コマンドを差引コマンドに変換する。認証ユニット１７は、差引コマンドを受信し差引コマンドを差引認可コマンドに変換し、並びに、差引認可コマンドに基づいて金額を電子財布の残高から差し引く。
【００２２】
本発明の好ましい実施例の詳細説明により、当該技術を熟知する者が本発明を深く理解し、本発明の趣旨を逸脱せずに各種の変更や修正を行うことが可能である。本発明は明細書中に開示した実施例の実施方式に限定されるものではないことをここに明記する。
【符号の説明】
【００２３】
１    ・・・ＳＩＭカード
２    ・・・携帯電話
３    ・・・記帳システム
４    ・・・計算書
１００・・・電子財布装置
１０  ・・・薄膜基板
１１  ・・・第一接点
１２  ・・・第二接点
１３  ・・・第三接点
１４  ・・・第四接点
１５  ・・・処理ユニット
１６  ・・・操作モジュール
１７  ・・・認証ユニット
１８  ・・・認可モジュール
１９  ・・・電子財布モジュール
２０  ・・・アンテナ
４１  ・・・ＳＤメモリーカード
４２  ・・・ＳＩＭカード
４３  ・・・携帯電話
４１１・・・接点インタフェース
４１２・・・コントローラー
４１３・・・メモリー
４２１・・・接点インタフェース
４３１・・・ＳＤメモリーカードインタフェース
４３２・・・ＳＩＭカードインタフェース
５１  ・・・携帯電話
５２  ・・・ＳＩＭカード
５１１・・・ＳＩＭカードインタフェース
５２１・・・接点インタフェース
【図１】
2013501985.tif 000003
【図２】
2013501985.tif 000004
【図３Ａ】
2013501985.tif 000005
【図３Ｂ】
2013501985.tif 000006
【図４】
2013501985.tif 000007
【図５】
2013501985.tif 000008
【国際調査報告】
2013501985.tif 000009
2013501985.tif 000010
2013501985.tif 000011
2013501985.tif 000012
2013501985.tif 000013
2013501985.tif 000014